(57)【要約】【課題】操作が容易で、かつ調整作業に時間を要することなくウェブ位置を調整すること。【解決手段】印刷物と印刷領域との相対位置に基づいてウェブをその搬送方向に移動調整する目標値を設定し（ステップＳ２）、目標値の直接入力に応じてウェブをその搬送方向へ移動する（ステップＳ３，Ｓ４）。このため、オペレータが印刷された印刷物を見て、調整すべき目標値を選択して直接入力することで、ウェブがその目標値に移動する。このため、ウェブが移動する間は、オペレータは他の作業が行える。この結果、作業時間を短縮できる。しかも、調整すべき目標値を選択するだけなので操作が容易で熟練を要さない。【選択図】        図４
2009233984.tif 000002
【特許請求の範囲】
【請求項１】
印刷中に印刷物と印刷領域との相対位置に基づいてウェブをその搬送方向または幅方向に移動調整する目標値を設定し、前記目標値の直接入力に応じてウェブをその搬送方向または幅方向へ移動することを特徴とするウェブ位置調整方法。
【請求項２】
複数設定された前記目標値から所望の目標値を選択することを特徴とする請求項１に記載のウェブ位置調整方法。
【請求項３】
前記ウェブの搬送ラインが複数あり、各前記搬送ラインでの前記目標値を連続して入力可能に設定することを特徴とする請求項１または２に記載のウェブ位置調整方法。
【請求項４】
初期印刷設定での前記ウェブの位置を基準位置とし、該基準位置からウェブを移動調整する態様で前記目標値を設定することを特徴とする請求項１〜３のいずれか一つに記載のウェブ位置調整方法。
【請求項５】
前記ウェブを移動した後、このウェブの位置を基準位置とし、該基準位置からウェブを移動調整する態様で前記目標値を設定することを特徴とする請求項１〜４のいずれか一つに記載のウェブ位置調整方法。
【請求項６】
前記ウェブの移動中に、該ウェブの調整状態を表示することを特徴とする請求項１〜５のいずれか一つに記載のウェブ位置調整方法。
【請求項７】
ウェブをその搬送方向または幅方向に移動させる調整機構と、前記調整機構を操作するための操作部と、前記操作部の操作に基づいて前記調整機構を制御する制御部とを備えたウェブ位置調整装置において、
前記操作部は、印刷物と印刷領域との相対位置に基づいてウェブをその搬送方向または幅方向へ移動調整する目標値が直接入力される入力部を有し、
前記制御部は、前記入力部により入力された目標値に基づいて前記ウェブを搬送方向または幅方向へ移動させる態様で前記調整機構を制御することを特徴とするウェブ位置調整装置。
【請求項８】
前記操作部は、複数の前記目標値に対応した複数の入力部を有することを特徴とする請求項７に記載のウェブ位置調整装置。
【請求項９】
前記操作部は、前記ウェブの複数の搬送ラインでの前記目標値に対応した入力部を隣接して有することを特徴とする請求項７または８に記載のウェブ位置調整装置。
【請求項１０】
前記操作部は、初期印刷設定での前記ウェブの位置を基準位置とし、該基準位置からウェブを移動調整する前記目標値に対応した入力部を有することを特徴とする請求項７〜９のいずれか一つに記載のウェブ位置調整装置。
【請求項１１】
前記操作部は、前記ウェブの移動後の位置を基準位置とし、該基準位置からウェブを移動調整する前記目標値に対応した入力部を有することを特徴とする請求項７〜１０のいずれか一つに記載のウェブ位置調整装置。
【請求項１２】
前記操作部は、前記ウェブの移動中に、該ウェブの調整状態を表示することを特徴とする請求項７〜１１のいずれか一つに記載のウェブ位置調整装置。
【請求項１３】
ウェブを搬送する給紙装置と、搬送される前記ウェブに印刷を行う印刷装置と、印刷後の前記ウェブを重ね合わせるウェブパス装置と、重ね合わされた前記ウェブを所定長に断裁すると共に、折帳として印刷物を作成する折機とを備えた輪転印刷機において、
印刷物と印刷領域との相対位置に基づいてウェブをその搬送方向または幅方向へ移動調整する態様で請求項７〜１２のいずれか一つに記載のウェブ位置調整装置を備えたことを特徴とする輪転印刷機。
【発明の詳細な説明】
【技術分野】
【０００１】
本発明は、ウェブの搬送方向または幅方向での位置を調整するウェブ位置調整方法およびウェブ位置調整装置ならびに輪転印刷機に関するものである。
【背景技術】
【０００２】
例えば、一般的なオフセット輪転印刷機は、給紙装置、印刷装置、ウェブパス装置、および折機などから構成されている。そして、給紙装置から印刷装置にウェブが供給されると、ウェブに対して印刷が施される。その後、ウェブパス装置で多数のウェブに搬送ルートが変更されてから所定の順番に重ね合わされる。さらにその後、折機にて、縦折りされつつ、印刷された絵柄位置に対応して所定のウェブ長に断裁されることで折帳、すなわち印刷物が作成され、排紙される。
【０００３】
従来、この種の輪転印刷機では、ウェブの断裁位置を適正にするため、ウェブの種類（紙幅、紙質、紙厚など）で定まるウェブの張力、ウェブパス装置のコンペセータローラ位置、折機の三角板位置などの制御データを、ウェブ種データと対にして予め記憶するものがある。そして、印刷運転前にウェブ種データを選択することで、制御データを読み出して制御データに関わる上記各位置の制御をしている（例えば、特許文献１参照）。
【０００４】
【特許文献１】特開２００２−２１０９２２号公報
【発明の開示】
【発明が解決しようとする課題】
【０００５】
ところで、例えば、絵柄をなすインキ量および湿し水量、印刷機周囲の温度および湿度などの運転状況などによっては、ウェブが搬送方向に伸びることがあり、さらにウェブの位置を調整する必要がある。このような調整は、オペレータによる操作ボタンなどでの操作であって、操作ボタンを押し続ける時間がウェブ位置を変化させる調整量となる。このため、調整する対象のウェブ数が多い場合、操作ボタンを押し続けている間は他の調整作業のための操作ボタンを操作できず、調整作業に時間を要する。しかも、操作ボタンを押し続ける時間がウェブ位置を変化させる調整量であるため、操作が容易でなく熟練を要する。
【０００６】
また、例えば、コンペセータローラ位置を変えてウェブの断裁位置を調整するには、モータ駆動させ、コンペセータローラ位置をウェブの緩め方向または張り方向に移動させる。しかし、緩め方向と張り方向とでのモータへの負荷の違いによりモータを駆動させる時間、すなわち操作ボタンを押し続ける時間が異なる。このため、操作が容易でなく熟練を要する。
【０００７】
なお、上記オペレータによる操作ボタンなどでの操作は、コンペセータローラ位置を変えてウェブの断裁位置を調整する場合に限らない。例えば、ウェブパス装置のターンバーの位置を変えて、重ね合わさる各ウェブの幅方向の位置を調整する場合や、折機の三角板の位置を変えて、ウェブが縦折りされる位置を調整する場合や、給紙装置でウェブがロール状に巻かれた巻取紙を保持する保持アームの軸心方向の位置を変えて、ウェブの幅方向の位置を調整する場合がある。これら場合でも同様に、操作ボタンを押し続けている間は他の調整作業のための操作ボタンを操作できず、調整作業に時間を要し、かつ操作が容易でなく熟練を要する。
【０００８】
本発明は、上記に鑑みてなされたものであって、操作が容易で、かつ調整作業に時間を要することなくウェブ位置を調整することのできるウェブ位置調整方法およびウェブ位置調整装置ならびに輪転印刷機を提供することを目的とする。
【課題を解決するための手段】
【０００９】
上記の目的を達成するために、本発明のウェブ位置調整方法では、印刷中に印刷物と印刷領域との相対位置に基づいてウェブをその搬送方向または幅方向に移動調整する目標値を設定し、前記目標値の直接入力に応じてウェブをその搬送方向または幅方向へ移動することを特徴とする。
【００１０】
このウェブ位置調整方法は、印刷中にオペレータが印刷された印刷物を見て、調整すべき目標値を選択して直接入力することで、ウェブがその目標値に移動する。このため、ウェブが移動する間は、オペレータは他の作業が行える。この結果、作業時間を短縮できる。しかも、調整すべき目標値を選択するだけなので操作が容易で熟練を要さない。
【００１１】
また、本発明のウェブ位置調整方法では、複数設定された前記目標値から所望の目標値を選択することを特徴とする。
【００１２】
このウェブ位置調整方法は、複数の目標値から調整すべき目標値を任意に選択できる。
【００１３】
また、本発明のウェブ位置調整方法では、前記ウェブの搬送ラインが複数あり、各前記搬送ラインでの前記目標値を連続して入力可能に設定することを特徴とする。
【００１４】
このウェブ位置調整方法は、ウェブの各搬送ラインに対応する目標値を連続して入力することで、複数の搬送ラインのウェブ位置を調整でき、作業時間を短縮できる。
【００１５】
また、本発明のウェブ位置調整方法では、初期印刷設定での前記ウェブの位置を基準位置とし、該基準位置からウェブを移動調整する態様で前記目標値を設定することを特徴とする。
【００１６】
このウェブ位置調整方法は、初期印刷設定（プリセット）でのウェブの位置を基準とした調整を行うことができる。
【００１７】
また、本発明のウェブ位置調整方法では、前記ウェブを移動した後、このウェブの位置を基準位置とし、該基準位置からウェブを移動調整する態様で前記目標値を設定することを特徴とする。
【００１８】
このウェブ位置調整方法は、ウェブ位置を調整した後は、その移動した位置を基準として調整できる。この結果、オペレータは、現在印刷されている印刷物を対象にして調整を行うことができ、さらに操作が容易となる。
【００１９】
また、本発明のウェブ位置調整方法では、前記ウェブの移動中に、該ウェブの調整状態を表示することを特徴とする。
【００２０】
このウェブ位置調整方法は、ウェブ位置の調整状態が認識できる。
【００２１】
上記の目的を達成するために、本発明のウェブ位置調整装置では、ウェブをその搬送方向または幅方向に移動させる調整機構と、前記調整機構を操作するための操作部と、前記操作部の操作に基づいて前記調整機構を制御する制御部とを備えたウェブ位置調整装置において、前記操作部は、印刷物と印刷領域との相対位置に基づいてウェブをその搬送方向または幅方向へ移動調整する目標値が直接入力される入力部を有し、前記制御部は、前記入力部により入力された目標値に基づいて前記ウェブを搬送方向または幅方向へ移動させる態様で前記調整機構を制御することを特徴とする。
【００２２】
このウェブ位置調整装置は、オペレータが印刷された印刷物を見て、調整すべき目標値を選択してその入力部を直接入力することで、ウェブがその目標値に移動する。このため、ウェブが移動する間は、オペレータは他の作業が行える。この結果、作業時間を短縮できる。しかも、調整すべき目標値を選択するだけなので操作が容易で熟練を要さない。
【００２３】
また、本発明のウェブ位置調整装置では、前記操作部は、複数の前記目標値に対応した複数の入力部を有することを特徴とする。
【００２４】
このウェブ位置調整装置は、複数の入力部から調整すべき目標値を選択できる。
【００２５】
また、本発明のウェブ位置調整装置では、前記操作部は、前記ウェブの複数の搬送ラインでの前記目標値に対応した入力部を隣接して有することを特徴とする。
【００２６】
このウェブ位置調整装置は、ウェブの各搬送ラインに対応する目標値を入力部で入力した後、他の搬送ラインに対応する目標値を入力部で選択できる。この結果、複数の搬送ラインのウェブ位置を調整する作業時間を短縮できる。
【００２７】
また、本発明のウェブ位置調整装置では、前記操作部は、初期印刷設定での前記ウェブの位置を基準位置とし、該基準位置からウェブを移動調整する前記目標値に対応した入力部を有することを特徴とする。
【００２８】
このウェブ位置調整装置は、初期印刷設定（プリセット）でのウェブの位置を基準とした調整を行うことができる。
【００２９】
また、本発明のウェブ位置調整装置では、前記操作部は、前記ウェブの移動後の位置を基準位置とし、該基準位置からウェブを移動調整する前記目標値に対応した入力部を有することを特徴とする。
【００３０】
このウェブ位置調整装置は、ウェブ位置を調整した後は、その移動した位置を基準として調整できる。この結果、オペレータは、現在印刷されている印刷物を対象にして調整を行うことができ、さらに操作が容易となる。
【００３１】
また、本発明のウェブ位置調整装置では、前記操作部は、前記ウェブの移動中に、該ウェブの調整状態を表示することを特徴とする。
【００３２】
このウェブ位置調整装置は、ウェブ位置の調整状態が認識できる。
【００３３】
上記の目的を達成するために、本発明の輪転印刷機では、ウェブを搬送する給紙装置と、搬送される前記ウェブに印刷を行う印刷装置と、印刷後の前記ウェブを重ね合わせるウェブパス装置と、重ね合わされた前記ウェブを所定長に断裁すると共に、折帳として印刷物を作成する折機とを備えた輪転印刷機において、印刷物と印刷領域との相対位置に基づいてウェブをその搬送方向または幅方向へ移動調整する態様で請求項７〜１２のいずれか一つに記載のウェブ位置調整装置を備えたことを特徴とする。
【００３４】
この輪転印刷機は、ウェブの位置の調整を行う操作を容易化し、かつ調整作業の時間を短縮できる。この結果、ウェブの損を低減し、かつ印刷物を印刷する時間を短縮して印刷効率を向上できる。
【発明の効果】
【００３５】
本発明によれば、操作が容易で、かつ調整作業に時間を要することなくウェブの搬送方向または幅方向での位置を調整できる。
【発明を実施するための最良の形態】
【００３６】
以下に添付図面を参照して、本発明に係るウェブ位置調整方法およびウェブ位置調整装置ならびに輪転印刷機の好適な実施例を詳細に説明する。なお、この実施例により本発明が限定されるものではない。
【００３７】
図１は、本実施例に係る輪転印刷機の概略構成図、図２は、本実施例に係るウェブ位置調整装置をコンペンセータ装置に適用した概略構成図、図３は、本実施例に係るウェブ位置調整装置の操作部の概略図、図４は、本実施例に係るウェブ位置調整装置の動作（ウェブ位置調整方法）を示す制御フローチャート、図５〜図７は、本実施例に係るウェブ位置調整装置の操作部の他の形態の概略図、図８は、本実施例に係るウェブ位置調整装置をターンバー装置に適用した概略構成図、図９は、本実施例に係るウェブ位置調整装置を折機サイドレー装置に適用した概略構成図、図１０は、本実施例に係るウェブ位置調整装置を給紙サイドレー装置に適用した概略構成図である。
【００３８】
図１に示すように、輪転印刷機である新聞用オフセット輪転印刷機（以下、輪転印刷機という）は、複数（本実施例では、５台）の給紙ユニットＲ１〜Ｒ５を有する給紙装置Ｒと、複数（本実施例では、５台）の印刷ユニットＵ１〜Ｕ５を有する印刷装置Ｕと、ウェブパス装置Ｄと、複数（本実施例では、２台）の折ユニットＦ１，Ｆ２を有する折機Ｆと、これらの統括制御を行う運転管理制御装置Ｃとから構成されている。
【００３９】
給紙装置Ｒの各給紙ユニットＲ１〜Ｒ５には、それぞれウェブＷがロール状に巻かれた３つの巻取紙Ｐを保持する保持アーム１１が設けられ、この保持アーム１１を回転させることで、巻取紙Ｐを給紙位置に臨ませることができる。また、この各給紙ユニットＲ１〜Ｒ５には、図示しない紙継装置が設けられており、給紙位置で繰り出されている巻取紙Ｐが残り少なくなると、この紙継装置により給紙位置にある巻取紙Ｐに対して、待機位置にある巻取紙Ｐを紙継することができる。
【００４０】
印刷装置Ｕの各印刷ユニットＵ１〜Ｕ５において、印刷ユニットＵ１，Ｕ５は、両面４色印刷を行う多色刷印刷ユニットであり、印刷ユニットＵ２〜Ｕ４は、両面２色印刷を行う２色刷印刷ユニットとなっている。すなわち、印刷ユニットＵ１，Ｕ５は、それぞれ両面印刷を行うように対向配置された１対のブランケット胴２１が、４色印刷を行うようにウェブＷの搬送方向に４組配置されている。印刷ユニットＵ２〜Ｕ４は、それぞれ両面印刷を行うように対向配置された１対のブランケット胴２１が、２色印刷を行うようにウェブＷの搬送方向に２組配置されている。また、印刷ユニットＵ１〜Ｕ５には、各ブランケット胴２１に対向配置された版胴２２、および図には明示しないが版胴２２に取り付けられた刷版にインキを供給するインキ供給機構が設けられている。
【００４１】
また、印刷ユニットＵ１〜Ｕ５にて、版胴２２には、ウェブＷに対し、４頁の印刷を同時に行うように、図１の紙面に直交する方向に沿って４頁の刷版が取り付けられる。そして、インキ供給機構は、１つの版胴２２の４頁の刷版にそれぞれインキを供給するように構成されている。また、ブランケット胴２１は、１つの版胴２２の４頁の刷版に供給されたインキが転写されるように構成されている。
【００４２】
また、各給紙ユニットＲ１〜Ｒ５と各印刷ユニットＵ１〜Ｕ５との間には、複数のインフィード装置Ｉｎ１〜Ｉｎ５が設けられている。そして、これら各印刷ユニットＵ１〜Ｕ５および各インフィード装置Ｉｎ１〜Ｉｎ５は、それぞれ独立して駆動される。したがって、各給紙ユニットＲ１〜Ｒ５から各インフィード装置Ｉｎ１〜Ｉｎ５を介して各印刷ユニットＵ１〜Ｕ５にウェブＷが供給されると、各印刷ユニットＵ１〜Ｕ５では、各ウェブＷに対して所定の印刷を行うことができる。
【００４３】
なお、本実施例では、各印刷ユニットＵ１〜Ｕ５を、多色刷印刷ユニットＵ１，Ｕ５と２色刷印刷ユニットＵ２〜Ｕ４により構成したが、この構成に限定されるものではない。例えば、両面単色印刷を行う両面単色刷ユニット、一面４色または２色印刷を行う多色刷印刷ユニットなど印刷物に応じて適宜各種ユニットを組み合わせて使用すればよい。
【００４４】
ウェブパス装置Ｄは、ウェブＷの搬送方向（ウェブＷの長さに沿う縦方向）に沿ってその幅方向（ウェブＷの搬送方向に直交する横方向）の中央部で２つに縦断裁する複数のカッタＴ（図８参照）と、縦断裁されたウェブＷの搬送経路を設定する多数のターンバー３０と、ターンバー３０で搬送経路が設定されたウェブＷを掛け回して搬送方向でのウェブ長さを設定することで、後の折機Ｆにより断裁されたときの天地（搬送方向）の余白寸法を調整するコンペンセータローラ３１とが設けられている。したがって、各印刷ユニットＵ１〜Ｕ５で４頁の印刷が施された各ウェブＷは、カッタにより２頁分ごとに縦断裁されると共に、ターンバー３０により搬送経路が変更され、所定の順番（頁順）に重ね合わされる。
【００４５】
折機Ｆは、各折ユニットＦ１，Ｆ２において、ウェブパス装置Ｄで重ね合わされたウェブＷを導入して、このウェブＷを三角板３２にて縦折りし、所定の長さで横断裁し、さらに横折りして所望の折帳（例えば新聞などの印刷物）を形成するものである。
【００４６】
運転管理制御装置Ｃは、主として、輪転印刷機の初期印刷設定（プリセット）を行うために用いられ、制御リンクをなすネットワークＮを介して給紙コントローラＣ１〜Ｃ５、印刷コントローラＣ６〜Ｃ１０、ウェブパスコントローラＣ１１、および折機コントローラＣ１２，Ｃ１３が接続されている。
【００４７】
給紙コントローラＣ１〜Ｃ５は、給紙装置Ｒの各給紙ユニットＲ１〜Ｒ２を駆動制御する。すなわち、給紙ユニットＲ１〜Ｒ２は、給紙コントローラＣ１〜Ｃ５により各々独立して制御される。印刷コントローラＣ６〜Ｃ１０は、印刷装置Ｕの各印刷ユニットＵ１〜Ｕ５および各インフィード装置Ｉｎ１〜Ｉｎ５を駆動制御する。すなわち、印刷ユニットＵ１〜Ｕ５および各インフィード装置Ｉｎ１〜Ｉｎ５は、印刷コントローラＣ６〜Ｃ１０により各々独立して制御される。ウェブパスコントローラＣ１１は、ウェブパス装置Ｄの各ターンバー３０および各コンペセータローラ３１を駆動制御する。折機コントローラＣ１２，Ｃ１３は、折機Ｆの折ユニットＦ１，Ｆ２を駆動制御する。すなわち、折ユニットＦ１，Ｆ２は、折機コントローラＣ１２，Ｃ１３により各々独立して制御される。
【００４８】
ここで、輪転印刷機による一連の印刷動作について説明する。なお、本実施例の輪転印刷機では、各印刷ユニットＵ１〜Ｕ５、各インフィード装置Ｉｎ１〜Ｉｎ５および各折ユニットＦ１，Ｆ２は独立して駆動できるため、一種類の印刷物を作成することはもちろん、二種類の異なる印刷物を同時に作成できる。つまり、二種類の印刷物のうち、一方の印刷物は、複数の印刷ユニットＵ１〜Ｕ５の中の一部の印刷ユニットを用いて印刷が行われた後、一方の折ユニットＦ１から排紙され、他方の印刷物は、残りの印刷ユニット用いて印刷が行われた後、他方の折ユニットＦ２から排紙される。以下、一種類の印刷物を作成する場合について説明する。
【００４９】
先ず、各給紙ユニットＲ１〜Ｒ５から各インフィード装置Ｉｎ１〜Ｉｎ５を介して各印刷ユニットＵ１〜Ｕ５にウェブＷがそれぞれ供給されると、各印刷ユニットＵ１〜Ｕ５では、各ウェブＷに対して４色刷や２色刷が両面に行われる。次に、各印刷ユニットＵ１〜Ｕ５で印刷が施された複数のウェブＷは、ウェブパス装置Ｄにおいて、カッタにより縦断裁されると共に、搬送経路が変更されて所定の順番に重ね合わされる。そして、ウェブパス装置Ｄにより重ね合わされたウェブ群が折機Ｆ（折ユニットＦ１または折ユニットＦ２）に導入されると、重ね合わされた各ウェブ群は、縦折りされた後、所定の長さで横断裁され、横折りされて所望の折帳（印刷物）が作成され、この後、この折帳は排紙される。
【００５０】
このような輪転印刷機では、印刷物と印刷領域との相対位置に基づき、ウェブＷの搬送方向またはウェブＷの幅方向について、ウェブＷの位置を調整するウェブ位置調整装置が設けられている。ここで、印刷物と印刷領域との相対位置は、印刷され断裁された印刷物の紙に対する印刷領域の位置を示す。
【００５１】
ウェブ位置調整装置には、ウェブパス装置Ｄに設けられたコンペンセータ装置がある。コンペンセータ装置は、コンペンセータローラ３１をウェブＷの搬送方向に移動させ、該コンペンセータローラ３１に掛け回わされたウェブ長さを変化させることで、後の折機Ｆにより断裁されときの印刷物の天地方向（搬送方向）の余白寸法、すなわち印刷物と印刷領域との相対位置を調整するものである。
【００５２】
このコンペンセータ装置は、図２に示すように、コンペンセータ調整機構（調整機構）４０を備えている。コンペンセータ調整機構４０において、コンペンセータローラ３１は、その両側に延在した回転軸３１ａの先端に、それぞれ移動部材４１が取り付けられている。各移動部材４１は、ウェブＷの搬送方向と平行に設けられた雄ネジをなす１対のガイドロッド４２にそれぞれ螺合されている。ガイドロッド４２の一方は、駆動モータ４３の駆動により回転可能に設けられている。また、各ガイドロッド４２は、相互の回転が伝達されるように、例えば、傘歯車および伝達軸からなる駆動伝達部４４を介して連結されている。すなわち、駆動モータ４３の駆動により双方のガイドロッド４２が回転する。すると、双方の移動部材４１がコンペンセータローラ３１を伴い、ガイドロッド４２に沿ってウェブＷの搬送方向に移動する。そして、図２中の矢印左方向にコンペンセータローラ３１が移動するとウェブＷの張りを緩めることになり、矢印右方向にコンペンセータローラ３１が移動するとウェブＷの張りをさらに張ることになる。また、ガイドロッド４２の他方には、検出部としてのポテンショメータ４５が設けられており、ガイドロッド４２の回転数が検出される。このポテンショメータ４５の数値は、初期印刷設定からのコンペンセータローラ３１の移動量であって、ウェブＷの位置の初期印刷設定からの変化量に相当する。
【００５３】
また、コンペンセータ装置は、ウェブパスコントローラＣ１１に、コンペンセータ制御部（制御部）４６を備えている。コンペンセータ制御部４６は、コンペセータ駆動部４７、コンペセータ記憶部４８およびコンペンセータ操作部（操作部）４９が接続されている。コンペセータ駆動部４７は、コンペンセータ制御部４６の駆動指令に基づいて駆動モータ４３を駆動するものである。コンペセータ記憶部４８は、コンペンセータ調整機構４０を駆動するためのプログラムやデータが予め記憶されていると共に、ポテンショメータ４５からのデータを入力して記憶するものである。コンペセータ操作部４９は、入力部４９ａをなす表示を触れることで各種選択を行うタッチパネル式のものである。そして、コンペンセータ制御部４６は、コンペセータ記憶部４８から入力されたプログラムやデータに従って、コンペセータ操作部４９に入力部４９ａを表示し、かつコンペセータ操作部４９での入力部４９ａへの入力に伴って、コンペセータ駆動部４７を制御してコンペンセータ調整機構４０を駆動させる。
【００５４】
なお、ウェブパス装置Ｄには、ウェブＷの搬送ラインをなす複数のコンペンセータローラ３１が設けられ、これら各コンペンセータローラ３１に、コンペンセータ調整機構４０がそれぞれ設けられている。そして、各搬送ラインのコンペンセータ調整機構４０の駆動モータ４３は、上記コンペンセータ駆動部４７によって駆動される。また、各コンペンセータ調整機構４０のポテンショメータ４５からのデータは、上記コンペンセータ記憶部４８に入力される。そして、コンペンセータ操作部４９では、各搬送ラインのコンペンセータ調整機構４０に対応した入力部４９ａが表示される。
【００５５】
また、コンペンセータ装置は、ウェブパスコントローラＣ１１に、コンペンセータ制御部（制御部）４６を備えているが、これに限らない。例えば、ウェブパスコントローラＣ１１が、コンペンセータ装置と、ターンバー装置（後述する）とをそれぞれ独立して制御するコントローラとして分けられ、コンペンセータ装置を制御するコントローラにコンペンセータ制御部（制御部）４６を備えていてもよい。
【００５６】
コンペンセータ操作部４９に示される入力部４９ａの表示は、図３に示すように、例えば、印刷物が新聞である場合、複数の搬送ラインのウェブＷが重ね合わされ、表に見える面が、１面，３面，５面，…のように奇数の面であるから、オペレータは、この奇数の面をチェックし、ウェブＷの断裁位置を調整する。よって、コンペンセータ操作部４９には、ウェブＷの複数の搬送ラインに対応する奇数の面表示が「１」，「３」，「５」，…の数字で横並びに隣接して示される。また、面表示の上には、コンペンセータローラ３１を基準位置「０」から張り方向に移動させる目標値「＋１」，「＋２」，…の入力部４９ａのボタン表示が基準位置の上段に、また、コンペンセータローラ３１を基準位置「０」から緩み方向に移動させる目標値「−１」，「−２」，…の入力部４９ａのボタン表示が基準位置の下段に示される。なお、基準位置の表示は、目標値の入力部４９ａのボタン表示と区別できるように、色付き表示もしくは反転表示あるいは文字フォントなど文字形態を変えることが好ましい。
【００５７】
次に、図３および図４を参照して、コンペンセータ制御部４６によるコンペンセータ装置（ウェブ位置調整装置）の動作であるウェブ位置調整方法に関する制御フローについて説明する。
【００５８】
先ず、印刷動作中において、コンペンセータ制御部４６は、コンペンセータ調整機構４０のポテンショメータ４５からのデータを入力し、このデータから得たコンペンセータローラ３１の位置（ウェブＷの現位置）を基準位置として設定する（ステップＳ１）。なお、ポテンショメータ４５からの当初のデータは、運転管理制御装置Ｃにより初期印刷設定（プリセット）されたデータである。そして、コンペンセータ制御部４６は、設定した基準位置を「０」として、コンペンセータ操作部４９に示す。
【００５９】
次に、コンペンセータ制御部４６は、設定された基準位置に基づいて、印刷中に印刷物と印刷領域との相対位置に基づいてコンペンセータローラ３１を移動させるため、すなわち印刷物と印刷領域との相対位置に基づいてウェブＷの搬送方向の位置を変化させるための複数の目標値を設定する（ステップＳ２）。そして、コンペンセータ制御部４６は、運転管理制御装置Ｃにより初期印刷設定された印刷物の面数（頁数）であるウェブＷの搬送ライン数に対応する項目を横方向に隣接させると共に、基準位置「０」を中央にし、かつ目標値「「＋１」，「＋２」，…の入力部４９ａのボタン表示を上段に、「−１」，「−２」，…の入力部４９ａのボタン表示を下段にしてコンペンセータ操作部４９に示す。
【００６０】
次に、コンペンセータ操作部４９に示した目標値の入力部４９ａがオペレータにより選択されて直接入力された場合（ステップＳ３：Ｙｅｓ）、コンペンセータ制御部４６は、選択された目標値に基づいて、選択された印刷物の面（頁）に該当するコンペンセータ調整機構４０を駆動して目標値までコンペンセータローラ３１の位置（ウェブＷの位置）を変化させる（ステップＳ４）。
【００６１】
最後に、コンペンセータ制御部４６は、目標値に至り変化したコンペンセータローラ３１の位置（変化したウェブＷの位置）を、新たな基準位置として設定し、この基準位置を「０」とし（ステップＳ５）、本制御フローを終了する。
【００６２】
ところで、例えば、目標値「＋１」が選択された場合、コンペンセータ調整機構４０が駆動され、コンペンセータローラ３１が張り方向に０．５ｍｍ移動し、断裁されたウェブＷの印刷領域に対する余白寸法が天方向に１ｍｍ変化する。また、目標値「＋２」が選択された場合、コンペンセータローラ３１が張り方向に１ｍｍ移動し、余白寸法が天方向に２ｍｍ変化する。一方、目標値「−２」が選択された場合には、コンペンセータローラ３１が緩み方向に１ｍｍ移動し、余白寸法が地方向に２ｍｍ変化する。この目標値に相当する寸法は、図３に示す「微調モード」のボタン表示を選択することにより変更することができる。例えば、「微調モード」のボタン表示を選択した場合、目標値「＋１」が選択されると、天方向に０．５ｍｍ変化する。
【００６３】
このように、本実施例に係るウェブ位置調整方法では、印刷中に印刷物と印刷領域との相対位置に基づいてウェブＷをその搬送方向に移動調整する目標値を設定し（ステップＳ２）、目標値の直接入力に応じてウェブをその搬送方向へ移動する（ステップＳ３，Ｓ４）。
【００６４】
かかるウェブ位置調整方法によれば、印刷中にオペレータが印刷された印刷物を見て、調整すべき目標値を選択して直接入力することで、ウェブＷがその目標値に移動する。このため、ウェブＷが移動する間は、オペレータは他の作業が行える。この結果、作業時間を短縮できる。しかも、調整すべき目標値を選択するだけなので操作が容易で熟練を要さない。
【００６５】
また、本実施例に係るウェブ位置調整方法では、複数設定された目標値から所望の目標値を選択している。かかるウェブ位置調整方法によれば、複数の目標値から調整すべき目標値を任意に選択できる。
【００６６】
また、本実施例に係るウェブ位置調整方法では、ウェブＷの搬送ラインが複数あり、各搬送ラインでの目標値を連続して入力可能に設定している。かかるウェブ位置調整方法によれば、ウェブＷの各搬送ラインに対応する目標値を連続して入力することで、複数の搬送ラインのウェブ位置を調整でき、作業時間を短縮できる。
【００６７】
また、本実施例に係るウェブ位置調整方法では、初期印刷設定でのウェブＷの位置を基準位置とし、該基準位置からウェブＷを移動調整する目標値を設定している（ステップＳ１）。かかるウェブ位置調整方法によれば、初期印刷設定でのウェブＷの位置を基準とした調整を行うことができる。
【００６８】
また、本実施例に係るウェブ位置調整方法では、ウェブＷを移動した後（ステップＳ４）、このウェブＷの位置を基準位置とし、該基準位置からウェブを移動調整する態様で目標値を設定している（ステップＳ５）。かかるウェブ位置調整方法によれば、ウェブ位置を調整した後は、その移動した位置を基準として調整できる。この結果、オペレータは、現在印刷されている印刷物を対象にして調整を行うことができ、さらに操作が容易となる。
【００６９】
本実施例に係るコンペンセータ装置（ウェブ位置調整装置）では、コンペンセータ操作部４９は、印刷物と印刷領域との相対位置に基づいてウェブＷをその搬送方向へ移動調整する目標値が直接入力される入力部４９ａを有している。かかるコンペンセータ装置によれば、オペレータが印刷された印刷物を見て、調整すべき目標値を選択してその入力部４９ａを直接入力することで、ウェブＷがその目標値に移動する。このため、ウェブＷが移動する間は、オペレータは他の作業が行える。この結果、作業時間を短縮できる。しかも、調整すべき目標値を選択するだけなので操作が容易で熟練を要さない。
【００７０】
また、本実施例に係るコンペンセータ装置では、コンペンセータ操作部４９は、複数の目標値に対応した複数の入力部４９ａを有している。かかるコンペンセータ装置によれば、複数の入力部４９ａから調整すべき目標値を選択できる。
【００７１】
また、本実施例に係るコンペンセータ装置では、コンペンセータ操作部４９は、ウェブＷの複数の搬送ラインでの目標値に対応した入力部４９ａを隣接して有している。かかるコンペンセータ装置によれば、ウェブＷの各搬送ラインに対応する目標値を入力部４９ａで入力した後、他の搬送ラインに対応する目標値を入力部４９ａで選択できる。この結果、複数の搬送ラインのウェブ位置を調整する作業時間を短縮できる。
【００７２】
また、本実施例に係るコンペンセータ装置では、コンペンセータ操作部４９は、初期印刷設定でのウェブＷの位置を基準位置とし、該基準位置からウェブＷを移動調整する目標値に対応した入力部４９ａを有している。かかるコンペンセータ装置によれば、初期印刷設定でのウェブＷの位置を基準とした調整を行うことができる。
【００７３】
また、本実施例のコンペンセータ装置では、コンペンセータ操作部４９は、ウェブＷの移動後の位置を基準位置とし、該基準位置からウェブＷを移動調整する目標値に対応した入力部４９ａを有している。かかるコンペンセータ装置によれば、ウェブ位置を調整した後は、その移動した位置を基準として調整できる。この結果、オペレータは、現在印刷されている印刷物を対象にして調整を行うことができ、さらに操作が容易となる。
【００７４】
また、本実施例に係る輪転印刷機では、コンペンセータ装置（ウェブ位置調整装置）を適用したことにより、ウェブ位置の調整を行う操作を容易化し、かつ調整作業の時間を短縮できる。この結果、ウェブＷの損を低減し、かつ印刷物を印刷する時間を短縮して印刷効率を向上できる。
【００７５】
ところで、本実施例に係るコンペンセータ装置（ウェブ位置調整装置）において、コンペンセータ操作部４９の表示形態は、図３に示す形態に限らず、図５〜図７に示す表示形態であってもよい。
【００７６】
図５に示す表示形態では、ステップＳ１において、コンペンセータ制御部４６は、コンペンセータ調整機構４０のポテンショメータ４５から入力した数値（すなわち、ウェブＷの位置の変化量）を基準位置として設定しコンペンセータ操作部４９に示す。そして、ステップＳ５において、コンペンセータ制御部４６は、目標値に至り変化したポテンショメータ４５の数値（ウェブＷの位置の変化量）を新たな基準位置として設定しコンペンセータ操作部４９に示す。
【００７７】
このように、本実施例に係るウェブ位置調整方法では、ウェブＷを移動した後、このウェブＷの位置を基準位置とし、該基準位置からウェブを移動調整する態様で目標値を設定している。また、本実施例に係るコンペンセータ装置（ウェブ位置調整装置）ならびに輪転印刷機では、ウェブＷの移動後の位置を基準位置とし、該基準位置からウェブＷを移動調整する目標値に対応した入力部４９ａを有している。このため、ウェブ位置を調整した後は、その移動した位置を基準として調整できる。この結果、オペレータは、現在印刷されている印刷物を対象にして調整を行うことができ、さらに操作が容易となる。
【００７８】
また、図５に示す形態の別の例として、ステップＳ４において、コンペンセータ制御部４６は、選択された目標値により変化するポテンショメータ４５の数値（ウェブＷの位置の変化量）を新たな基準位置として予め設定してコンペンセータ操作部４９に示す。そして、新たな基準位置にポテンショメータ４５の数値（ウェブＷの位置の変化量）が変化する過程を、目標値の移動する形態として色付き表示もしくは反転表示などで示す。
【００７９】
このように、本実施例に係るウェブ位置調整方法およびコンペンセータ装置（ウェブ位置調整装置）ならびに輪転印刷機では、ウェブＷの移動中に、ウェブＷの調整状態を表示しているので、オペレータは、調整状態を認識しつつ、調整作業を行うことができる。
【００８０】
図６に示す形態では、目標値をボタン表示とせず、バー表示として示したものである。この形態の場合、ステップＳ４において、コンペンセータ制御部４６は、選択された目標値のみをボタン表示とする。さらに、コンペンセータ制御部４６は、選択された目標値により変化するポテンショメータ４５の数値（ウェブＷの位置の変化量）を新たな基準位置として予め設定してコンペンセータ操作部４９に示す。そして、新たな基準位置にポテンショメータ４５の数値（ウェブＷの位置の変化量）が変化する過程を、目標値のボタン表示がバー表示上で移動する形態として示す。このとき、目標値のボタン表示を色付き表示もしくは反転表示などで示す。
【００８１】
かかるコンペンセータ装置（ウェブ位置調整装置）によれば、調整状態を認識しつつ、調整作業を行うことができる。
【００８２】
図７に示す形態では、基本的には図５に示す形態、または図５に示す形態の別の例と同様であるが、さらに「ＡＬＬ」モードとして、印刷物の全てのウェブＷの位置を一括して調整できるようにしたものである。この「ＡＬＬ」モードでは、基準位置を示さない。
【００８３】
かかるコンペンセータ装置（ウェブ位置調整装置）によれば、印刷物の全てのウェブＷの位置を一括して調整できるので、調整作業効率を向上できる。
【００８４】
ところで、本実施例に係るウェブ位置調整装置には、コンペンセータ装置に限らず、その他図８に示すウェブパス装置Ｄのターンバー装置、図９に示す折機Ｆの折機サイドレー装置、あるいは図１０に示す給紙装置Ｒの給紙サイドレー装置がある。
【００８５】
図８に示すように、ターンバー装置は、カッタＴにより幅方向の中央部で２つに縦断裁されたウェブＷの搬送経路設定するターンバー３０を、ウェブＷの幅方向に移動させてウェブＷの搬送経路位置を調整するものである。このターンバー装置は、ターンバー調整機構(調整機構)５０を備えている。このターンバー調整機構５０において、ターンバー３０は、一対設けられている。各ターンバー３０は、その両端にそれぞれ移動部材５１ａ，５１ｂが取り付けられている。各移動部材５１ａは、ウェブＷの搬送方向と垂直に設けられた雄ネジをなすガイドロッド５２ａにそれぞれ螺合されている。一方、各移動部材５１ｂは、ガイドロッド５２ａと平行に設けられたガイドロッド５２ｂにそれぞれ摺動可能に係合されている。これにより、一対のターンバー３０は、各ガイドロッド５２ａ，５２ｂの間で、相互に平行、かつウェブＷの搬送方向に対して４５度の角度で取り付けられている。また、ガイドロッド５２ａは、駆動モータ５３の駆動により回転可能に設けられている。すなわち、駆動モータ５３の駆動によりガイドロッド５２ａが回転する。すると、各移動部材５１ａ，５１ｂがターンバー３０を伴い、ガイドロッド５２ａ，５２ｂに沿ってウェブＷの搬送方向に対する直交方向に平行移動する。そして、図８中の矢印左方向にターンバー３０が移動すると、真っ直ぐな搬送方向（１）のウェブＷに対し、搬送経路を変えられた搬送方向（２）のウェブＷが左側に位置を変化させる。また、図８中の矢印右方向にターンバー３０が移動すると、搬送方向（１）のウェブＷに対し、搬送方向（２）のウェブＷが右側に位置を変化させる。これにより、搬送方向（１）のウェブＷと、搬送方向（２）のウェブＷとの重ね合わせを調整できる。また、ガイドロッド５２ａには、検出部としてのポテンショメータ５４が設けられており、ガイドロッド５２ａの回転数が検出される。このポテンショメータ５４の数値は、初期印刷設定からのターンバー３０の移動量であって、ウェブＷの位置の初期印刷設定からの変化量に相当する。
【００８６】
また、ターンバー装置は、ウェブパスコントローラＣ１１に、ターンバー制御部（制御部）５６を備えている。ターンバー制御部５６は、ターンバー駆動部５７、ターンバー記憶部５８およびターンバー操作部(操作部)５９が接続されている。ターンバー駆動部５７は、ターンバー制御部５６の駆動指令に基づいて駆動モータ５３を駆動するものである。ターンバー記憶部５８は、ターンバー調整機構５０を駆動するためのプログラムやデータが予め記憶されていると共に、ポテンショメータ５４からのデータを入力して記憶するものである。ターンバー操作部５９は、入力部（４９ａ）をなす表示を触れることで各種選択を行うタッチパネル式のものである。そして、ターンバー制御部５６は、ターンバー記憶部５８から入力されたプログラムやデータに従って、ターンバー操作部５９に入力部を表示し、かつターンバー操作部５９での入力部への入力に伴って、ターンバー駆動部５７を制御してターンバー調整機構５０を駆動させる。
【００８７】
なお、ウェブパス装置Ｄには、ウェブＷの搬送ラインをなす複数のターンバー３０が設けられ、これら各ターンバー３０に、ターンバー調整機構５０がそれぞれ設けられている。そして、各搬送ラインのターンバー調整機構５０の駆動モータ５３は、上記ターンバー駆動部５７によって駆動される。また、各ターンバー調整機構５０のポテンショメータ５４からのデータは、上記ターンバー記憶部５８に入力される。そして、ターンバー操作部５９では、各搬送ラインのターンバー調整機構５０に対応した入力部が表示される。
【００８８】
また、ターンバー装置は、ウェブパスコントローラＣ１１に、ターンバー制御部（制御部）５６を備えているが、これに限らない。例えば、ウェブパスコントローラＣ１１が、コンペンセータ装置と、ターンバー装置とをそれぞれ独立して制御するコントローラとして分けられ、ターンバー装置を制御するコントローラにターンバー制御部（制御部）５６を備えていてもよい。
【００８９】
ターンバー操作部５９に示される入力部の表示は、図には明示しないが図３と同様であり、縦断裁されて搬送経路を変えられるウェブＷに対応する面表示の数字が縦並びに示される。また、面表示の横には、ターンバー３０を基準位置「０」から右方向に移動させる目標値「＋１」，「＋２」，…の入力部のボタン表示が基準位置の右側に、また、ターンバー３０を基準位置「０」から左方向に移動させる目標値「−１」，「−２」，…の入力部のボタン表示が基準位置の左側に示される。なお、基準位置の表示は、目標値の入力部のボタン表示と区別できるように、色付き表示もしくは反転表示あるいは文字フォントなど文字形態を変えることが好ましい。また、ターンバー操作部５９に示される選択表示の形態は、図５〜図７と同様に示されていてもよい。
【００９０】
また、ターンバー制御部５６によるターンバー装置（ウェブ位置調整装置）の動作であるウェブ位置調整方法に関する制御フローも、図４に示す制御フローと同様である。
【００９１】
先ず、印刷動作中において、ターンバー制御部５６は、ターンバー調整機構５０のポテンショメータ５４からのデータを入力し、このデータから得たターンバー３０の位置（重ね合わされるウェブＷの位置）を基準位置として設定する（ステップＳ１）。なお、ポテンショメータ５４からの当初のデータは、運転管理制御装置Ｃにより初期印刷設定（プリセット）されたデータである。そして、ターンバー制御部５６は、設定した基準位置を「０」として、ターンバー操作部５９に示す。
【００９２】
次に、ターンバー制御部５６は、設定された基準位置に基づいて、印刷中に印刷物と印刷領域との相対位置に基づいてターンバー３０を移動させるため、すなわち印刷物と印刷領域との相対位置に基づいてウェブＷの幅方向の位置を変化させるための複数の目標値を設定する（ステップＳ２）。そして、ターンバー制御部５６は、運転管理制御装置Ｃにより初期印刷設定された印刷物の面数（頁数）であるウェブＷの搬送ライン数に対応する項目を縦方向に隣接させると共に、基準位置「０」を中央にし、かつ目標値「「＋１」，「＋２」，…の入力部のボタン表示を右側に、「−１」，「−２」，…の入力部のボタン表示を左側にしてターンバー操作部５９に示す。
【００９３】
次に、ターンバー操作部５９に示した目標値の入力部がオペレータにより選択されて直接入力された場合（ステップＳ３：Ｙｅｓ）、ターンバー制御部５６は、選択された目標値に基づいて、選択された印刷物の面（頁）に該当するターンバー調整機構５０を駆動して目標値までターンバー３０の位置（ウェブＷの位置）を変化させる（ステップＳ４）。
【００９４】
最後に、ターンバー制御部５６は、目標値に至り変化したターンバー３０の位置（変化したウェブＷの位置）を、新たな基準位置として設定し、この基準位置を「０」とし（ステップＳ５）、本制御フローを終了する。
【００９５】
このように、本実施例に係るターンバー装置（ウェブ位置調整装置）においても、上述したコンペンセータ装置と同様に本実施例に係るウェブ位置調整方法を適宜実施でき、上述したウェブ位置調整方法およびウェブ位置調整装置ならびに輪転印刷機の効果を得ることができる。
【００９６】
図９に示すように、折機Ｆの折機サイドレー装置は、各折ユニットＦ１，Ｆ２において重ね合わされたウェブＷを縦折りする三角板３２を、ウェブＷの幅方向に移動させて、ウェブＷの折り目位置、すなわちウェブＷの折り目位置と印刷領域との相対位置を調整するものである。この折機サイドレー装置は、折機サイドレー調整機構（調整機構）６０を備えている。この折機サイドレー調整機構６０において、三角板３２、ドラグローラ３３、リードインローラ３４およびニッピングローラ３５が、移動フレーム６１に配設されている。移動フレーム６１は、三角板３２などを伴ってウェブＷの幅方向（図９中の矢印方向）に移動可能に設けられている。この移動フレーム６１は、駆動伝達部６２に連結されている。駆動伝達部６２は、駆動モータ６３を有し、この駆動モータ６３の回転を、移動フレーム６１の移動方向に換えて伝達するものである。すなわち、駆動モータ５３の駆動により移動フレーム６１がウェブＷの幅方向に移動する。そして、図９中の矢印左方向に移動フレーム６１が移動すると、共に移動する三角板３２によりウェブＷの折り目が左側に位置を変化する。また、図９中の矢印右方向に移動フレーム６１が移動すると、共に移動する三角板３２によりウェブＷの折り目が右側に位置を変化する。これにより、ウェブＷの折り目位置を調整できる。また、駆動伝達部６２には、検出部としてのポテンショメータ６４が設けられており、駆動モータ６３の回転数が検出される。このポテンショメータ６４の数値は、初期印刷設定からの三角板３２の移動量であって、ウェブＷの折り目位置の初期印刷設定からの変化量に相当する。
【００９７】
また、折機サイドレー装置は、折機コントローラＣ１２に、折機サイドレー制御部（制御部）６６を備えている。折機サイドレー制御部６６は、折機サイドレー駆動部６７、折機サイドレー記憶部６８および折機サイドレー操作部（操作部）６９が接続されている。折機サイドレー駆動部６７は、折機サイドレー制御部６６の駆動指令に基づいて駆動モータ６３を駆動するものである。折機サイドレー記憶部６８は、折機サイドレー調整機構６０を駆動するためのプログラムやデータが予め記憶されていると共に、ポテンショメータ６４からのデータを入力して記憶するものである。折機サイドレー操作部６９は、入力部（４９ａ）をなす表示を触れることで各種選択を行うタッチパネル式のものである。そして、折機サイドレー制御部６６は、折機サイドレー記憶部６８から入力されたプログラムやデータに従って、折機サイドレー操作部６９に入力部を表示し、かつ折機サイドレー操作部６９での入力部への入力に伴って、折機サイドレー駆動部６７を制御して折機サイドレー調整機構６０を駆動させる。
【００９８】
折機サイドレー操作部６９に示される入力部の表示は、図には明示しないが図３と同様であり、移動フレーム６１を基準位置「０」から右方向に移動させる目標値「＋１」，「＋２」，…の入力部のボタン表示が基準位置の右側に、また、移動フレーム６１を基準位置「０」から左方向に移動させる目標値「−１」，「−２」，…の入力部のボタン表示が基準位置の左側に示される。なお、基準位置の表示は、目標値の入力部のボタン表示と区別できるように、色付き表示もしくは反転表示あるいは文字フォントなど文字形態を変えることが好ましい。また、折機サイドレー操作部６９に示される選択表示の形態は、図５〜図７と同様に示されていてもよい。
【００９９】
なお、図９では、折機Ｆの折ユニットＦ１に折機サイドレー装置が適用された例を示している。図には明示しないが、他の折ユニットＦ２にも折機サイドレー装置は適用されている。また、各折機コントローラＣ１２，Ｃ１３にそれぞれ折機サイドレー制御部６６、折機サイドレー駆動部６７、折機サイドレー記憶部６８および折機サイドレー操作部６９を設けず、各折機コントローラＣ１２，Ｃ１３を統括する折機コントローラ（図示せず）を設け、この折機コントローラに、折機サイドレー制御部６６、折機サイドレー駆動部６７、折機サイドレー記憶部６８および折機サイドレー操作部６９を設けてもよい。この場合、折機サイドレー操作部６９には、複数の搬送ラインである各折ユニットＦ１，Ｆ２の三角板３２に対応する表示が縦方向に隣接して示される。
【０１００】
また、折機サイドレー制御部６６による折機サイドレー装置（ウェブ位置調整装置）の動作であるウェブ位置調整方法に関する制御フローも、図４に示す制御フローと同様である。
【０１０１】
先ず、印刷動作中において、折機サイドレー制御部６６は、折機サイドレー調整機構６０のポテンショメータ６４からのデータを入力し、このデータから得た移動フレーム６１の位置（ウェブＷの幅方向に対する三角板３２の位置）を基準位置として設定する（ステップＳ１）。なお、ポテンショメータ６４からの当初のデータは、運転管理制御装置Ｃにより初期印刷設定（プリセット）されたデータである。そして、折機サイドレー制御部６６は、設定した基準位置を「０」として、折機サイドレー操作部６９に示す。
【０１０２】
次に、折機サイドレー制御部６６は、設定された基準位置に基づいて、印刷中に印刷物と印刷領域との相対位置に基づいて三角板３２を移動させるため、すなわち印刷物と印刷領域との相対位置に基づいてウェブＷの折り目位置を変化させるための複数の目標値を設定する（ステップＳ２）。そして、折機サイドレー制御部６６は、基準位置「０」を中央にし、かつ目標値「「＋１」，「＋２」，…の入力部のボタン表示を右側に、「−１」，「−２」，…の入力部のボタン表示を左側にして折機サイドレー操作部６９に示す。
【０１０３】
次に、折機サイドレー操作部６９に示した目標値の入力部がオペレータにより選択されて直接入力された場合（ステップＳ３：Ｙｅｓ）、折機サイドレー制御部６６は、選択された目標値に基づいて、折機サイドレー調整機構６０を駆動して目標値まで三角板３２の位置（ウェブＷの幅方向に対応する位置）を変化させる（ステップＳ４）。
【０１０４】
最後に、折機サイドレー制御部６６は、目標値に至り変化した三角板３２の位置を、新たな基準位置として設定し、この基準位置を「０」とし（ステップＳ５）、本制御フローを終了する。
【０１０５】
このように、本実施例に係る折機サイドレー装置（ウェブ位置調整装置）においても、上述したコンペンセータ装置と同様に本実施例に係るウェブ位置調整方法を適宜実施でき、上述したウェブ位置調整方法およびウェブ位置調整装置ならびに輪転印刷機の効果を得ることができる。
【０１０６】
図１０に示すように、給紙装置Ｒの給紙サイドレー装置は、各給紙ユニットＲ１〜Ｒ５において、ウェブＷがロール状に巻かれた巻取紙を保持する保持アーム１１の軸心方向の位置を変えて、ウェブＷの幅方向の位置、すなわち、ウェブＷの位置と後に印刷装置で印刷される印刷領域との相対位置を調整するものである。この給紙サイドレー装置は、給紙サイドレー調整機構（調整機構）７０を備えている。この給紙サイドレー調整機構７０において、保持アーム１１は、その回転中心となる回転軸１１ａが軸心方向（図２中の矢印方向）に移動可能に設けられている。この回転軸１１ａは、駆動伝達部７１に連結されている。駆動伝達部７１は、駆動モータ７２を有し、この駆動モータ７２の回転を、回転軸１１ａの移動方向に換えて伝達するものである。すなわち、駆動モータ７２の駆動により回転軸１１ａがウェブＷの幅方向に移動する。そして、図１０中の矢印左方向に回転軸１１ａが移動すると、ウェブＷが左側に位置を変化する。また、図１０中の矢印右方向に回転軸１１ａが移動すると、ウェブＷが右側に位置を変化する。これにより、ウェブＷの幅方向位置を調整できる。また、駆動伝達部７１には、検出部としてのポテンショメータ７３が設けられており、駆動モータ７２の回転数が検出される。このポテンショメータ７３の数値は、初期印刷設定からの回転軸１１ａの移動量であって、ウェブＷの位置の初期印刷設定からの変化量に相当する。
【０１０７】
また、給紙サイドレー装置は、給紙コントローラＣ１に、給紙サイドレー制御部（制御部）７６を備えている。給紙サイドレー制御部７６は、給紙サイドレー駆動部７７、給紙サイドレー記憶部７８および給紙サイドレー操作部（操作部）７９が接続されている。給紙サイドレー駆動部７７は、給紙サイドレー制御部７６の駆動指令に基づいて駆動モータ７２を駆動するものである。給紙サイドレー記憶部７８は、給紙サイドレー調整機構７０を駆動するためのプログラムやデータが予め記憶されていると共に、ポテンショメータ７３からのデータを入力して記憶するものである。給紙サイドレー操作部７９は、入力部（４９ａ）をなす表示を触れることで各種選択を行うタッチパネル式のものである。そして、給紙サイドレー制御部７６は、給紙サイドレー記憶部７８から入力されたプログラムやデータに従って、給紙サイドレー操作部７９に入力部を表示し、かつ給紙サイドレー操作部７９での入力部への入力に伴って、給紙サイドレー駆動部７７を制御して給紙サイドレー調整機構７０を駆動させる。
【０１０８】
給紙サイドレー操作部７９に示される選択表示は、図には明示しないが図３と同様であり、回転軸１１ａを基準位置「０」から右方向に移動させる目標値「＋１」，「＋２」，…の入力部のボタン表示が基準位置の右側に、また、回転軸１１ａを基準位置「０」から左方向に移動させる目標値「−１」，「−２」，…の入力部のボタン表示が基準位置の右側に示される。なお、基準位置の表示は、目標値の入力部のボタン表示と区別できるように、色付き表示もしくは反転表示あるいは文字フォントなど文字形態を変えることが好ましい。また、給紙サイドレー操作部７９に示される選択表示の形態は、図５〜図７と同様に示されていてもよい。
【０１０９】
なお、図１０では、給紙装置Ｒの給紙ユニットＲ１に給紙サイドレー装置が適用された例を示している。図には明示しないが、他の給紙ユニットＲ２〜Ｒ５にも給紙サイドレー装置は適用されている。また、各給紙コントローラＣ１〜Ｃ５にそれぞれ給紙サイドレー制御部７６、給紙サイドレー駆動部７７、給紙サイドレー記憶部７８および給紙サイドレー操作部７９を設けず、各給紙コントローラＣ１〜Ｃ５を統括する給紙装置コントローラ（図示せず）を設け、この給紙装置コントローラに、給紙サイドレー制御部７６、給紙サイドレー駆動部７７、給紙サイドレー記憶部７８および給紙サイドレー操作部７９を設けてもよい。この場合、給紙サイドレー操作部７９には、複数の搬送ラインである各給紙ユニットＲ１〜Ｒ５の回転軸１１ａに対応する表示が縦方向に隣接して示される。
【０１１０】
また、給紙サイドレー制御部７６による給紙サイドレー装置（ウェブ位置調整装置）の動作であるウェブ位置調整方法に関する制御フローも、図４に示す制御フローと同様である。
【０１１１】
先ず、印刷動作中において、給紙サイドレー制御部７６は、給紙サイドレー調整機構７０のポテンショメータ７３からのデータを入力し、このデータから得た回転軸１１ａの位置（幅方向でのウェブＷの位置）を基準位置として設定する（ステップＳ１）。なお、ポテンショメータ７３からの当初のデータは、運転管理制御装置Ｃにより初期印刷設定（プリセット）されたデータである。そして、給紙サイドレー制御部７６は、設定した基準位置を「０」として、給紙サイドレー操作部７９に示す。
【０１１２】
次に、給紙サイドレー制御部７６は、設定された基準位置に基づいて、印刷中に印刷物と印刷領域との相対位置に基づいて回転軸１１ａを移動させるため、すなわち印刷物と印刷領域との相対位置に基づいてウェブＷの幅方向位置を変化させるための複数の目標値を設定する（ステップＳ２）。そして、給紙サイドレー制御部７６は、基準位置「０」を中央にし、かつ目標値「「＋１」，「＋２」，…の入力部のボタン表示を右側に、「−１」，「−２」，…の入力部のボタン表示を左側にして給紙サイドレー操作部７９に示す。
【０１１３】
次に、給紙サイドレー操作部７９に示した目標値の入力部のボタン表示がオペレータにより選択されて直接入力された場合（ステップＳ３：Ｙｅｓ）、給紙サイドレー制御部７６は、選択された目標値に基づいて、給紙サイドレー調整機構７０を駆動して目標値まで回転軸１１ａの位置（ウェブＷの幅方向位置）を変化させる（ステップＳ４）。
【０１１４】
最後に、給紙サイドレー制御部７６は、目標値に至り変化した回転軸１１ａの位置（変化したウェブＷの幅方向位置）を、新たな基準位置として設定し、この基準位置を「０」とし（ステップＳ５）、本制御フローを終了する。
【０１１５】
このように、本実施例に係る給紙サイドレー装置（ウェブ位置調整装置）においても、上述したコンペンセータ装置と同様に本実施例に係るウェブ位置調整方法を適宜実施でき、上述したウェブ位置調整方法およびウェブ位置調整装置ならびに輪転印刷機の効果を得ることができる。
【０１１６】
なお、図には明示しないが、上述した操作部（４９，５９，６９，７９）の入力部は、中央に基準位置を配置し、その上下段または左右側に入力部としてのボタン表示を１つずつ配置し、かつ基準位置の表示を可変できるように示すことも含む。すなわち、入力部のボタン表示を１回タッチすれば、目標値の「＋１」または「−１」となり、選択ボタンを２回タッチすれば目標値の「＋２」または「−２」となって、この目標値が基準位置に表示される。このようにしても、タッチ回数で目標値を入力部で直接入力でき、ウェブＷがその目標値に移動する。このため、ウェブＷが移動する間は、オペレータは他の作業が行える。この結果、作業時間を短縮できる。しかも、調整すべき目標値を選択するだけなので操作が容易で熟練を要さない。
【産業上の利用可能性】
【０１１７】
以上のように、本発明に係るウェブ位置調整方法およびウェブ位置調整装置ならびに輪転印刷機は、操作が容易で、かつ調整作業に時間を要することなくウェブの搬送方向または幅方向での位置を調整することに適している。
【図面の簡単な説明】
【０１１８】
【図１】本実施例に係る輪転印刷機の概略構成図である。
【図２】本実施例に係るウェブ位置調整装置をコンペンセータ装置に適用した概略構成図である。
【図３】本実施例に係るウェブ位置調整装置の操作部の概略図である。
【図４】本実施例に係るウェブ位置調整装置の動作（ウェブ位置調整方法）を示す制御フローチャートである。
【図５】本実施例に係るウェブ位置調整装置の操作部の他の形態の概略図である。
【図６】本実施例に係るウェブ位置調整装置の操作部の他の形態の概略図である。
【図７】本実施例に係るウェブ位置調整装置の操作部の他の形態の概略図である。
【図８】本実施例に係るウェブ位置調整装置をターンバー装置に適用した概略構成図である。
【図９】本実施例に係るウェブ位置調整装置を折機サイドレー装置に適用した概略構成図である。
【図１０】本実施例に係るウェブ位置調整装置を給紙サイドレー装置に適用した概略構成図である。
【符号の説明】
【０１１９】
Ｃ  運転管理制御装置
Ｃ１〜Ｃ５  給紙コントローラ
Ｒ  給紙装置
Ｒ１〜Ｒ５  給紙ユニット
Ｐ  巻取紙
１１  保持アーム
１１ａ  回転軸
７０  給紙サイドレー調整機構
７１  駆動伝達部
７２  駆動モータ
７３  ポテンショメータ
７６  給紙サイドレー制御部
７７  給紙サイドレー駆動部
７８  給紙サイドレー記憶部
７９  給紙サイドレー操作部
Ｃ６〜Ｃ１０  印刷コントローラ
Ｕ  印刷装置
Ｕ１〜Ｕ５  印刷ユニット
Ｉｎ１〜Ｉｎ５  インフィード装置
Ｃ１１  ウェブパスコントローラ
Ｄ  ウェブパス装置
３１  コンペンセータローラ
３１ａ  回転軸
４０  コンペンセータ調整機構
４１  移動部材
４２  ガイドロッド
４３  駆動モータ
４４  駆動伝達部
４５  ポテンショメータ
４６  コンペンセータ制御部
４７  コンペセータ駆動部
４８  コンペセータ記憶部
４９  コンペセータ操作部
３０  ターンバー
５０  ターンバー調整機構
５１ａ，５１ｂ  移動部材
５２ａ，５２ｂ  ガイドロッド
５３  駆動モータ
５４  ポテンショメータ
５６  ターンバー制御部
５７  ターンバー駆動部
５８  ターンバー記憶部
５９  ターンバー操作部
Ｃ１２，Ｃ１３  折機コントローラ
Ｆ  折機
Ｆ１，Ｆ２  折ユニット
３２  三角板
３３  ドラグローラ
３４  リードインローラ
３５  ニッピングローラ
６０  折機サイドレー調整機構
６１  移動フレーム
６２  駆動伝達部
６３  駆動モータ
６４  ポテンショメータ
６６  折機サイドレー制御部
６７  折機サイドレー駆動部
６８  折機サイドレー記憶部
６９  折機サイドレー操作部
Ｔ  カッタ
Ｗ  ウェブ
【図１】
2009233984.tif 000003
【図２】
2009233984.tif 000004
【図３】
2009233984.tif 000005
【図４】
2009233984.tif 000006
【図５】
2009233984.tif 000007
【図６】
2009233984.tif 000008
【図７】
2009233984.tif 000009
【図８】
2009233984.tif 000010
【図９】
2009233984.tif 000011
【図１０】
2009233984.tif 000012